(57)【要約】      （修正有）【課題】ノンバンドタイプの竪樋に適用し、竪樋を利用して他人が住居内に無断侵入する犯罪を未然に、かつ効果的に阻止することができ、かつ汎用性及び施工性に優れた防犯雨樋カバーを提供する。【解決手段】防犯雨樋カバーは、隣接するアンカー６０間ごとに壁面と竪樋２０との間の隙間に挿入されて隙間を埋める金具間カバー１０Ａと、隣接するアンカーのそれぞれに対応して壁面と竪樋との間の隙間に挿入されて、取付け金具５０と共に隙間を覆う金具部カバー１０Ｂとからなる。金具間カバー１０Ａ及び金具部カバー１０Ｂは、壁面に対向する背面部と、背面部の両側縁部から竪樋側に延出する左右一対の側面部１２とを有し、各側面部の先端部分に形成された突起１３が竪樋の２本の竪溝２１にそれぞれ嵌め込まれることにより、竪樋の背面側に固定される。【選択図】図３
0003220723.tif 000002
【実用新案登録請求の範囲】
【請求項１】
竪樋が取り付けられる壁面と対向する背面側に２本の平行な竪溝が形成され、前記２本の竪溝に係合する左右一対のフックからなる取付け金具を介して前記壁面のアンカーに取付けられるノンバンドタイプの竪樋に使用される防犯雨樋カバーであって、
隣接するアンカー間ごとに前記壁面と竪樋との間の隙間に挿入されて当該隙間を埋める金具間カバーと、
隣接するアンカーのそれぞれに対応して前記壁面と竪樋との間の隙間に挿入されることにより、前記取付け金具と共に前記隙間を覆う金具部カバーとの組み合わせからなり、
前記金具間カバー及び金具部カバーは、前記壁面に対向する背面部と、背面部の両側縁部から竪樋側に延出する左右一対の側面部とを有すると共に、両方の側面部の各先端部分が竪樋の２本の竪溝にそれぞれ嵌め込まれることにより竪樋の背面側に固定され、
前記金具間カバー及び金具部カバーの少なくとも両方の側面部は、竪方向で端部同士が重なり合い、前記金具部カバーの背面部には、前記アンカー又は取付け金具との干渉を回避する切込みが設けられた防犯雨樋カバー。
【請求項２】
請求項１に記載の防犯雨樋カバーにおいて、
竪樋、並びに金具間カバー及び金具部カバーは、ステンレス鋼板の折曲成形品である防犯雨樋カバー。
【請求項３】
請求項１又は２に記載の防犯雨樋カバーにおいて、
金具間カバー及び金具部カバーにおける両側の側面部は、背面側から先端部に向かうに連れて間隔が漸増する先広がりである防犯雨樋カバー。
【考案の詳細な説明】
【技術分野】
【０００１】
本考案は、建物の壁面に取付けられる雨水排水用の竪樋に防犯のために取付けられる防犯雨樋カバーに関する。
【背景技術】
【０００２】
近年、建物の壁面に取付けられた雨水排水用の竪樋を利用して、比較的高層の住宅内にまで他人が無断で侵入して室内を荒らす窃盗事件が多発している。これは、集合住宅の高層階ではベランダ側のテラス窓の施錠が疎かになることや、竪樋を建物の壁面に取り付けるために一定間隔で壁面に取付けられる取付け金具を竪樋と共に利用することにより、比較的高層の住宅のベランダに比較的簡単に侵入できることを利用して、他人が室内に無断侵入する窃盗犯罪であり、都会で多く発生する盗難事件の一つになっている。
【０００３】
一方、竪樋の種類としては、竪樋を取付けようとする壁面にアンカーを凸設し、これに竪樋をバンドと称するループ状の取付け具により取り付けるバンドタイプのものが一般的であるが、取付けようとする壁面と対向する背面側に２本の平行な竪溝が形成されたバンド無しのノンバンドタイプのものも、特許文献１及び２に開示されている。
【０００４】
ノンバンドタイプの竪樋は、背面側に形成された２本の竪溝に係合する左右一対のフックからなる取付け金具を介して、壁面に凸設されたアンカーに取付けられることにより、ループ状の取付け金具を使わずに壁面に取付けられるので、取付け具が正面側から目立たないという特徴を有している。
【０００５】
しかしなから、ノンバンドタイプであっても、竪樋が無断侵入に利用される懸念があることについては、バンドタイプと変わるところがない。
【先行技術文献】
【特許文献】
【０００６】
【特許文献１】実登３１２１２６９号公報
【特許文献２】実登３１２９９９６号公報
【考案の概要】
【考案が解決しようとする課題】
【０００７】
本考案の目的は、ノンバンドタイプの竪樋に適用し、その構造上の特徴を活用することにより、竪樋を利用して他人が住居内に無断侵入する犯罪を未然に、かつ効果的に阻止することができ、なおかつ汎用性及び施工性にも優れた防犯雨樋カバーを提供することにある。
【課題を解決するための手段】
【０００８】
本考案の防犯雨樋カバーは、竪樋が取り付けられる壁面と対向する背面側に２本の平行な竪溝が形成され、前記２本の竪溝に係合する左右一対のフックからなる取付け金具を介して前記壁面のアンカーに取付けられるノンバンドタイプの竪樋に使用される防犯雨樋カバーであって、
隣接するアンカー間ごとに前記壁面と竪樋との間の隙間に挿入されて当該隙間を埋める金具間カバーと、
隣接するアンカーのそれぞれに対応して前記壁面と竪樋との間の隙間に挿入されることにより、前記取付け金具と共に前記隙間を覆う金具部カバーとの組み合わせからなり、
前記金具間カバー及び金具部カバーは、前記壁面に対向する背面部と、背面部の両側縁部から竪樋側に延出する左右一対の側面部とを有すると共に、両方の側面部の各先端部分が竪樋の２本の竪溝にそれぞれ嵌め込まれることにより竪樋の背面側に固定され、
前記金具間カバー及び金具部カバーの少なくとも両方の側面部は、竪方向で端部同士が重なり合い、前記金具部カバーの背面部には、前記アンカー又は取付け金具との干渉を回避する切込みが設けられている。
【０００９】
本考案の防犯雨樋カバーは、ノンバンドタイプの竪樋を壁面に取付けるための２本の竪溝を利用して、竪樋の背面側に取付けられることにより、その背面側の隙間を埋めるので、取付け作業が簡単であり、竪樋の施工時だけでなく、施工後のいわゆる後付けも可能である。
【００１０】
また、そのカバーは、隣接するアンカー間ごとに配置される金具間カバーと、隣接するアンカーのそれぞれに対応する金具部カバーとの組み合わせからなることにより、取付け金具の部分も含めて隙間全体を切れ目なく埋めることができる。このため、侵入阻止効果が高い。
【００１１】
竪樋、並びに金具間カバー及び金具部カバーは、樹脂の一体成形品でもよいが、金属板、特にステンレス鋼板の折曲成形品が望ましい。
【００１２】
金具間カバー及び金具部カバーにおける両側の側面部は、背面側から先端部に向かうに連れて間隔が漸増する先広がりが、取付け安定性の点から推奨されるが、竪樋のサイズが小さい場合は平行であってもよく、竪樋のサイズに応じて広がり角が適宜決定される。
【考案の効果】
【００１３】
本考案の防犯雨樋カバーは、ノンバンドタイプの竪樋に適用して、その竪樋と壁面との間に形成される隙間を、取付け金具の部分も含めて切れ目なく埋めることにより、竪樋を利用して他人が住居内に無断侵入する犯罪を未然に、且つ効果的に阻止することができる。また、竪樋の施工時のみならず、施工後にも取付けが可能であるので、汎用性が高い。更に、ノンバンドタイプの竪樋を壁面に取付けるための２本の平行な竪溝を利用して、取付けを行うので、取付け作業が簡単であり、施工性に優れる。
【図面の簡単な説明】
【００１４】
【図１】本考案の一実施形態を示す防犯雨樋カバーの構造を竪樋の構造と共に示す分解斜視図である。
【図２】同構造を別角度から示す分解斜視図である。
【図３】同防犯雨樋カバーの取付け状態を示す組立斜視図である。
【図４】同取付け状態を別角度から示す組立斜視図である。
【図５】同取付け状態を示す横断面図である。
【考案を実施するための形態】
【００１５】
以下に、本考案の実施形態を、図面を参照しながら具体的かつ詳細に説明する。
【００１６】
図１〜図５に示すように、本実施形態の防犯雨樋カバー１０は、ノンバンドタイプの竪樋２０に適用され、より具体的には、特に図５に示されるとおり、当該竪樋２０を取り付ける壁面３０と当該竪樋２０の間に生じる隙間４０に挿入されることにより、当該隙間４０を竪方向の全長にわたって覆い埋めるものである。
【００１７】
ノンバンドタイプの竪樋２０自体は周知であり、前述した特許文献１及び２になどに詳しく説明されている。簡単に説明すると、この竪樋２０は、一方の端部が小径の差し込み部２２とされた円筒管であり、差し込み部２２を別の竪樋２０の他方の端部に挿入することにより、竪方向に連続する円筒形状の雨樋を形成する。
【００１８】
個々の竪樋２０は、当該竪樋２０が取付けられる壁面３０に対向した背面側に、２本の平行な竪溝２１，２１を有しており、竪方向の２位置において取付け金具５０及びアンカー６０により前記壁面に固定される。なお、アンカー６０は、竪方向に連結された複数の竪樋２０を前記壁面３０に固定するために、前記壁面３０の竪方向に等間隔で凸設されており、その配列ピッチは通常９０〜１８０ｃｍである。
【００１９】
個々の取付け金具５０は、竪樋２０の竪溝２１，２１に係合する左右一対の鉤状のフック５１，５１からなる。各フック５１は、先端側の円弧部と基端側の直線部とからなり、円弧部の先端部分は、竪溝２１に係合するように内側へ屈曲している。そして、フック５１，５１の屈曲部を竪溝２１，２１にそれぞれ係合させると共に、基端側の両直線部でアンカー６０の突出部を挟み、この状態で両直線部をボルト５２，５２で締結することにより、前記竪樋２０は取付け金具５０を介してアンカー６０に連結され、壁面２０に固定される。
【００２０】
かかる竪樋２０に組み合わされる本実施形態の防犯雨樋カバー１０は、竪樋２０を壁面３０に固定する取付け金具５０，５０の各間に配置される金具間カバー１０Ａと、取付け金具５０のところに配置される金具部カバー１０Ｂとからなる。
【００２１】
金具間カバー１０Ａ及び金具部カバー１０Ｂは、竪方向の端部同士を重ね合わせた状態で竪方向に切れ目なく配列されることにより、竪樋２０と壁面３０との間に生じる隙間４０を竪方向の全長にわたって埋める。
【００２２】
金具間カバー１０Ａ及び金具部カバー１０Ｂは、実質的に同一の横断面形状（台形状）をしたステンレス鋼板の折曲成形品であり、壁面２０に対向する平面状の背面部１１と、背面部１１の両側縁部から竪樋２０の側に延出する左右一対の側面部１２，１２とからなり、両側の側面部１２，１２は、背面部１１から先端部に向かうにつれて間隔が両側へ均等に広がっている。
【００２３】
防犯雨樋カバー１０のうち、金具間カバー１０Ａは、両側の側面部１２，１２の先端縁部（竪樋２０側の端縁部）の竪方向の２箇所（竪方向の両端部から離れた位置）に、竪樋２０の２本の平行な竪溝２１，２１に挿入される突起１３，１３をそれぞれ有している。上下一対の突起１３，１３は、竪樋２０の竪溝２１に弾性的に圧入されるように、前記側面部１２の先端縁部から先端側へ突出すると共に内側へ傾き、内側へ丸く曲成されている。そして、両側各２個の突起１３，１３が竪樋２０の竪溝２１，２１に押し込まれることにより、金具間カバー１０Ａは竪樋２０の背面側に装着される。
【００２４】
金具間カバー１０Ａの竪方向の寸法は、金具間カバー１０Ａが上下の取付け金具５０，５０と干渉しないように、アンカー６０の配列ピッチより若干小さく設定されている。奥行き（台形の高さ）は、竪樋２０の取付け誤差や壁面３０の凹凸を吸収するために、金具間カバー１０Ａの背面部１１が壁面３０から僅かに離れる程度（ただし人の指先が入らない程度）に設定されている。
【００２５】
一方、取付け金具５０の部分を覆う金具部カバー１０Ｂは、前述したとおり、金具間カバー１０Ａと同じ台形状の横断面形状を有している。金具部カバー１０Ｂが金具間カバー１０Ａと異なるのは、竪方向の寸法が小さいこと、金具部カバー１０Ｂを竪樋２０に固定するための上下一対の突起１３，１３が、側面部１２の先端縁部（竪樋２０側の端縁部）の竪方向両端部に形成されていること、背面部１１に、アンカー６０との干渉を回避する切込み１４が設けられていることである。切込み１４は、下方に開放する逆Ｕ字状である。
【００２６】
金具部カバー１０Ｂの竪方向の寸法は、上下一対の突起１３，１３が取付け金具５０の上下に位置するように、取付け金具５０の厚み（竪方向の寸法）より大きく設定されており、これにより、上下一対の突起１３，１３が取付け金具５０と干渉することなく竪樋２０の竪溝２１に挿入され、竪樋２０の背面側に金具部カバー１０Ｂが装着される。
【００２７】
金具部カバー１０Ｂの竪方向の寸法は又、金具部カバー１０Ｂの竪方向の端部が上下の金具間カバー１０Ａの竪方向の端部に重なるように設定されており、この重なりのために、金具間カバー１０Ａの竪方向の両端部（側面部１２の上下の両角部）には切欠き１５，１５が設けられている。すなわち、金具部カバー１０Ｂの竪方向の端部が金具間カバー１０Ａの竪方向の端部に重なったときに、金具部カバー１０Ｂの側の突起１３が、隣接する金具間カバー１０Ａの側面部１２に形成された切欠き１５に嵌合することにより、その重なりが可能となる。
【００２８】
このような構成になる防犯雨樋カバー１０の特長は以下のとおりである。
【００２９】
防犯雨樋カバー１０を構成する金具間カバー１０Ａ及び金具部カバー１０Ｂを竪樋２０の背面側に取付けることにより、竪樋２０と壁面３０との間の隙間４０が、取付け金具５０の部分も含めて竪樋２０の竪方向の全長にわたって切れ目なく埋められることにより、竪樋２０及び取付け金具５０に手足を掛けることができなくなり、結果として、竪樋２０や取付け金具５０を利用して屋内に侵入する事件が未然に且つ確実に回避される。
【００３０】
本防犯雨樋カバー１０は、金具間カバー１０Ａと金具部カバー１０Ｂとに分かれており、かつ防犯雨樋カバー１０を壁面３０（アンカー６０）に取り付ける取付け金具５０を兼ねていないので、壁面３０への取付けを終えた竪樋２０に取り付けることができる。
【００３１】
すなわち、壁面３０に取付けられた竪樋２０に金具間カバー１０Ａを取付け、その後に金具部カバー１０Ｂを取り付けることにより、竪樋２０と壁面３０との間の隙間４０を、取付け金具５０の部分も含めて竪樋２０の竪方向の全長にわたって切れ目なく埋めることができる。したがって、本防犯雨樋カバー１０は竪樋２０の施工時だけでなく、その施工を終えた後のいわゆる後付けが可能であり、汎用性に優れる。
【００３２】
しかも、金具間カバー１０Ａ及び金具部カバー１０Ｂの取付けは、竪樋２０を取付け金具５０と連結するための竪溝２１，２１を利用して、簡単に行うことできる。すなわち、金具間カバー１０Ａ及び金具部カバー１０Ｂの両側の側面部１２，１２にそれぞれ設けられた上下の突起１３，１３を竪樋２０の竪溝２１に押し込むだけである。したがって、本防犯雨樋カバー１０は施工性にも優れる。
【符号の説明】
【００３３】
１０  防犯雨樋カバー
１０Ａ  金具間カバー
１０Ｂ  金具部カバー
１１  背面部
１２  側面部
１３  突起
１４  切込み
１５  切欠き
２０  竪樋
２１  竪溝
２２  差し込み部
３０  壁面
４０  隙間
５０  取付け金具
５１  フック
５２  ボルト
６０  アンカー
【図１】
0003220723.tif 000003
【図２】
0003220723.tif 000004
【図３】
0003220723.tif 000005
【図４】
0003220723.tif 000006
【図５】
0003220723.tif 000007